(57)【特許請求の範囲】
【請求項１】
（ａ）カード用コネクタに外部部材の挿入開口を通して挿入可能、かつ、端子部材を備えるカードを保持可能なカード保持部材であって、
（ｂ）前記カードを収容可能なカード収容部と、該カード収容部に接続された連結基部と、該連結基部に前記カード保持部材の挿入及び排出方向にスライド可能に取付けられた可動スリーブと、前記連結基部と可動スリーブとの間をシールする第１シール部材と、前記挿入開口と可動スリーブとの間をシールする第２シール部材とを備えることを特徴とするカード保持部材。
【請求項２】
前記可動スリーブは、前記連結基部がスライド可能に挿入される連結基部挿入孔を含み、前記第１シール部材は、前記連結基部の外周面と連結基部挿入孔の内周面との間をシールし、前記第２シール部材は、前記可動スリーブの外周面と外部部材の挿入開口の内周面との間をシールする請求項１に記載のカード保持部材。
【請求項３】
前記連結基部の後端に接続された後端板を更に備え、前記カード用コネクタへのカード保持部材の挿入が完了すると、前記後端板の後面が外部部材の外面とほぼ面一となる請求項１又は２に記載のカード保持部材。
【請求項４】
前記後端板は、操作補助部材を挿入可能な操作用挿入孔を含み、前記可動スリーブは、前記操作補助部材からの力を受けることによって、前記カード保持部材の挿入方向へスライドする請求項３に記載のカード保持部材。
【請求項５】
前記可動スリーブは、前記操作補助部材からの力を受けることによって、前記カード用コネクタのトレイ排出機構を作動させる請求項４に記載のカード保持部材。
【請求項６】
請求項１〜５のいずれか１項に記載のカード保持部材と、
該カード保持部材を挿入可能なカード用コネクタと、該カード用コネクタが固定された外部部材とを備えるカード用コネクタセット。
【発明の詳細な説明】
【技術分野】
【０００１】
本開示は、カード保持部材及びカード用コネクタセットに関するものである。
【背景技術】
【０００２】
従来、携帯電話機、スマートフォン等の電子機器においては、ＳＩＭカード等の各種カードを利用するために、カード用コネクタを備えている。そして、このような電子機器を雨水や粉塵に曝される環境下でも使用可能とするように、密封性を備えるカード用コネクタが提案されている（例えば、特許文献１参照。）。
【０００３】
図１８は従来のカード用コネクタを示す図である。
【０００４】
図において、８１１は、絶縁性の樹脂材料から成るカード用コネクタのハウジングである。そして、該ハウジング８１１は、電子機器の筐体の側壁部８９８に固定された状態で該側壁部８９８の内側に収容されている。また、前記ハウジング８１１は、複数の端子８５１を備え、カードを収容したカードホルダ９６１が前記カード用コネクタに挿入されると、前記カードが備える接続パッドのそれぞれが対応する端子８５１と接触する。
【０００５】
また、前記側壁部８９８における前記カード用コネクタの挿入開口に対応する箇所には、開口部８９８ａが形成されている。そして、前記カードホルダ９６１は、前記開口部８９８ａを通って前記カード用コネクタ内に挿入される。
【０００６】
前記カードホルダ９６１のカード用コネクタへの挿入が完了すると、図に示されるように、前記カードホルダ９６１の後枠部９６１ａの後端面９６１ｂは、前記側壁部８９８の外表面８９８ｂとほぼ面一となる。また、前記カードホルダ９６１の後枠部９６１ａの外周には、パッキン９７１が取付けられており、該パッキン９７１が前記開口部８９８ａの内周面と前記後枠部９６１ａの外周面との隙間を塞いで密封するので、水、塵埃等の異物がカード用コネクタ内に進入することが防止される。
【先行技術文献】
【特許文献】
【０００７】
【特許文献１】特開平０８−３３５２５５号公報
【発明の概要】
【発明が解決しようとする課題】
【０００８】
しかしながら、前記従来のカード用コネクタにおいては、機器の本体へのハウジング８１１の取付誤差等に起因して、ハウジング８１１の挿入口と機器の本体に形成されたカードホルダ挿入開口との間に位置ずれが生じた場合、カードホルダ９６１をハウジング８１１に挿入して装填することが困難になってしまう。また、仮に、カードホルダ９６１をハウジング８１１に装填することができても、カードホルダ挿入開口に対して、カードホルダ９６１の挿入側の端部と反対側の端部が傾斜したり、一方に片寄った状態となるので、パッキン９７１がカードホルダ９６１の外周面とカードホルダ挿入開口の内周面との間の間隙を完全に閉鎖することができず、外部からの水や埃が機器の本体内に侵入してしまう。
【０００９】
ここでは、前記従来の問題点を解決して、カード保持部材に可動スリーブをスライド可能に取付けるとともに、カード保持部材と可動スリーブとの間及び外部部材と可動スリーブとの間にシール部材を配設することによって、密封性が高く、信頼性の高いカード保持部材及びカード用コネクタセットを提供することを目的とする。
【課題を解決するための手段】
【００１０】
そのために、カード保持部材においては、カード用コネクタに外部部材の挿入開口を通して挿入可能、かつ、端子部材を備えるカードを保持可能なカード保持部材であって、前記カードを収容可能なカード収容部と、該カード収容部に接続された連結基部と、該連結基部に前記カード保持部材の挿入及び排出方向にスライド可能に取付けられた可動スリーブと、前記連結基部と可動スリーブとの間をシールする第１シール部材と、前記挿入開口と可動スリーブとの間をシールする第２シール部材とを備える。
【００１１】
他のカード保持部材においては、さらに、前記可動スリーブは、前記連結基部がスライド可能に挿入される連結基部挿入孔を含み、前記第１シール部材は、前記連結基部の外周面と連結基部挿入孔の内周面との間をシールし、前記第２シール部材は、前記可動スリーブの外周面と外部部材の挿入開口の内周面との間をシールする。
【００１２】
更に他のカード保持部材においては、さらに、前記連結基部の後端に接続された後端板を更に備え、前記カード用コネクタへのカード保持部材の挿入が完了すると、前記後端板の後面が外部部材の外面とほぼ面一となる。
【００１３】
更に他のカード保持部材においては、さらに、前記後端板は、操作補助部材を挿入可能な操作用挿入孔を含み、前記可動スリーブは、前記操作補助部材からの力を受けることによって、前記カード保持部材の挿入方向へスライドする。
【００１４】
更に他のカード保持部材においては、さらに、前記可動スリーブは、前記操作補助部材からの力を受けることによって、前記カード用コネクタのトレイ排出機構を作動させる。
【００１５】
カード用コネクタセットにおいては、本開示のカード保持部材と、該カード保持部材を挿入可能なカード用コネクタと、該カード用コネクタが固定された外部部材とを備える。
【発明の効果】
【００１６】
本開示によれば、カード保持部材に可動スリーブをスライド可能に取付けるとともに、カード保持部材と可動スリーブとの間及び外部部材と可動スリーブとの間にシール部材が配設されている。これにより、高い密封性を得ることができ、信頼性が向上する。
【図面の簡単な説明】
【００１７】
【図１】第１の実施の形態におけるカード用コネクタにカード用トレイを挿入した状態のカード用コネクタセットを示す図であって、（ａ）は平面図、（ｂ）は（ａ）におけるＡ−Ａ矢視断面図である。
【図２】第１の実施の形態におけるカード用コネクタにカード用トレイを挿入する前の状態のカード用コネクタセットを示す斜視図であって、（ａ）はカード用コネクタ側から観た図、（ｂ）はカード用トレイ側から観た図である。
【図３】第１の実施の形態におけるカード用トレイを示す斜視図であって、（ａ）は前側から観た図、（ｂ）は後側から観た図である。
【図４】第１の実施の形態におけるカード用トレイを示す第１の分解図であって、（ａ）は前側から観た図、（ｂ）は後側から観た図である。
【図５】第１の実施の形態におけるカード用トレイを示す第２の分解図であって、（ａ）は前側から観た図、（ｂ）は後側から観た図である。
【図６】第１の実施の形態におけるカード用コネクタの斜視図であって、（ａ）はハウジングとシェルとを分解した図、（ｂ）はシェルを取除いた状態を示す図である。
【図７】第１の実施の形態におけるカード用コネクタからカード用トレイを排出する動作の第１工程を示す図であって、（ａ）は平面図、（ｂ）は（ａ）におけるＡ−Ａ矢視断面図である。
【図８】第１の実施の形態におけるカード用コネクタからカード用トレイを排出する動作の第２工程を示す図であって、（ａ）は平面図、（ｂ）は（ａ）におけるＡ−Ａ矢視断面図である。
【図９】第１の実施の形態におけるカード用コネクタからカード用トレイを排出する動作の第３工程を示す図であって、（ａ）は平面図、（ｂ）は（ａ）におけるＡ−Ａ矢視断面図である。
【図１０】第１の実施の形態におけるカード用コネクタからカード用トレイを排出する動作の第４工程を示す図であって、（ａ）は平面図、（ｂ）は（ａ）におけるＡ−Ａ矢視断面図である。
【図１１】第１の実施の形態におけるカード用コネクタにカード用トレイを挿入する動作の第１工程を示す図であって、（ａ）は平面図、（ｂ）は（ａ）におけるＡ−Ａ矢視断面図である。
【図１２】第１の実施の形態におけるカード用コネクタにカード用トレイを挿入する動作の第２工程を示す図であって、（ａ）は平面図、（ｂ）は（ａ）におけるＡ−Ａ矢視断面図である。
【図１３】第２の実施の形態におけるカード用コネクタにカード用トレイを挿入する前の状態のカード用コネクタセットを示す斜視図である。
【図１４】第２の実施の形態におけるカード用トレイを示す第１の分解図である。
【図１５】第２の実施の形態におけるカード用トレイを示す第２の分解図である。
【図１６】第２の実施の形態におけるカード用コネクタからカード用トレイを排出する動作の第１工程を示す図であって、（ａ）は平面図、（ｂ）は透視平面図、（ｃ）はシェル及び外部部材を除去した状態を示す平面図、（ｄ）は平断面図である。
【図１７】第２の実施の形態におけるカード用コネクタからカード用トレイを排出する動作の第２工程を示す図であって、（ａ）は平面図、（ｂ）は透視平面図、（ｃ）はシェル及び外部部材を除去した状態を示す平面図、（ｄ）は平断面図である。
【図１８】従来のカード用コネクタを示す図である。
【発明を実施するための形態】
【００１８】
以下、実施の形態について図面を参照しながら詳細に説明する。
【００１９】
図１は第１の実施の形態におけるカード用コネクタにカード用トレイを挿入した状態のカード用コネクタセットを示す図、図２は第１の実施の形態におけるカード用コネクタにカード用トレイを挿入する前の状態のカード用コネクタセットを示す斜視図、図３は第１の実施の形態におけるカード用トレイを示す斜視図、図４は第１の実施の形態におけるカード用トレイを示す第１の分解図、図５は第１の実施の形態におけるカード用トレイを示す第２の分解図、図６は第１の実施の形態におけるカード用コネクタの斜視図である。なお、図１において、（ａ）は平面図、（ｂ）は（ａ）におけるＡ−Ａ矢視断面図であり、図２において、（ａ）はカード用コネクタ側から観た図、（ｂ）はカード用トレイ側から観た図であり、図３〜５において、（ａ）は前側から観た図、（ｂ）は後側から観た図であり、図６において、（ａ）はハウジングとシェルとを分解した図、（ｂ）はシェルを取除いた状態を示す図である。
【００２０】
図において、１６０は本実施の形態におけるカード保持部材としてのカード用トレイであり、図示されないカードを収容して保持した状態で、図示されない電子機器が備える外部部材９５に固定されたカード用コネクタ１に挿入される。つまり、カードは、カード用トレイ１６０のカード収容部１６１内に収容され、カード用コネクタ１を介して、電子機器に装着される。なお、該電子機器は、例えば、パーソナルコンピュータ、スマートフォン、携帯電話機、通信モデム、タブレットコンピュータ、デジタルカメラ、ビデオカメラ、音楽プレーヤ、ゲーム機、車両用ナビゲーション装置等であるが、いかなる種類の機器であってもよい。
【００２１】
ところで、例えば、電子機器にカード用コネクタ１以外のカード用コネクタが実装されているような場合には、ユーザがカード用コネクタ１を使用しないこともあり得る。そして、このような場合に、ユーザは、カードを収容していないカード用トレイ１６０、すなわち、空のカード用トレイ１６０をカード用コネクタ１に挿入した状態で保管することができる。
【００２２】
前記カードは、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、マイクロＳＤ（Ｒ）カード又はナノＳＩＭカードを選択的に使用することができるものとして説明する。ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。また、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２３】
前記カード収容部１６１は、カードの側面と対向し、該側面を囲繞するような形状の枠部１６１ａと、該枠部１６１ａの一方の側（図２〜５における上側）の開口を覆うように枠部１６１ａに取付けられた背板部１６１ｂとを有する。該背板部１６１ｂは、カード収容部１６１に収容されたカードの背面（電極パッドの露出している面と反対側の面）に対向する。なお、前記枠部１６１ａ及び背板部１６１ｂは、いかなる材料から成る部材であってもよいが、例えば、インサート成形乃至オーバーモールド成形と称される成形方法によって、金属部材の周囲の少なくとも一部を樹脂で被覆して一体化した部材でもよい。
【００２４】
なお、本実施の形態において、カード用コネクタ１及びカード用トレイ１６０の各部の構成及び動作を説明するために使用される上、下、左、右、前、後等の方向を示す表現は、絶対的なものでなく相対的なものであり、カード用コネクタ１、カード用トレイ１６０又はそれらの部品が図に示される姿勢である場合に適切であるが、カード用コネクタ１、カード用トレイ１６０又はそれらの部品の姿勢が変化した場合には姿勢の変化に応じて変更して解釈されるべきものである。
【００２５】
本実施の形態におけるカード収容部１６１内の空間は、前側に位置する第１空間と後側に位置する第２空間とに分割されている。そして、第１及び第２空間の各々にカードを収容することができ、第１及び第２空間の下面は、カードの電極パッドが露出可能な開口である。なお、第１及び第２空間には、同一種類のカード、例えば、ナノＳＩＭカードを１枚ずつ収容することもできるし、互いに異なる種類のカード、例えば、ナノＳＩＭカードとマイクロＳＤ（Ｒ）カードとをそれぞれ収容することもできる。また、第１空間又は第２空間のいずれか一方にのみカードを収容し、他方にはカードを収容しなくてもよい。
【００２６】
なお、前記枠部１６１ａの外側面には、カード用コネクタ１内に挿入されたカード用トレイ１６０が保持されて固定されるための保持用凹部１６１ｃが形成されている。
【００２７】
また、前記カード用トレイ１６０は、カード収容部１６１の後端（前端１６１ｆと反対側の端）に一体的に接続され、後方に延出する連結基部１６３と、該連結基部１６３に対してスライド可能に取付けられた可動スリーブ１６６と、前記連結基部１６３の後端に一体的に接続された後端板としてのフランジ板１６４とを含んでいる。なお、該フランジ板１６４には、直線的な棒状部材である操作補助部材１８１が挿入される孔であってフランジ板１６４を板厚方向に貫通する操作用挿入孔１６４ｃが形成されている。
【００２８】
前記可動スリーブ１６６は、絶縁性の樹脂から一体的に成形された扁平な筒状の部材であり、前記連結基部１６３が挿入される孔であって可動スリーブ１６６を前後方向に貫通する連結基部挿入孔１６７と、該連結基部挿入孔１６７の後端の周縁を面取りしたような形状の第１シール収容凹部１６７ａと、可動スリーブ１６６の外周を１周する溝状の第２シール収容凹部１６８と、可動スリーブ１６６の後面１６６ａにおける左右いずれか一端（図２（ｂ）における右端）近傍に開口する操作用凹部１６６ｃと、可動スリーブ１６６の前面における前記操作用凹部１６６ｃに対応する一端近傍における操作用部１６６ｂとを含んでいる。なお、図に示される例において、該操作用部１６６ｂは、可動スリーブ１６６の前面の他の部分よりも前方に向けて突出するように形成されているが、必ずしも、前方に向けて突出する必要はなく、可動スリーブ１６６の前面の他の部分と面一となるように形成されていてもよい。
【００２９】
そして、環状の第１シール部材１７１が連結基部１６３の周囲に嵌付けられ、連結基部１６３とフランジ板１６４との接続部分に位置付けられる。また、環状の第２シール部材１７２が可動スリーブ１６６の周囲に嵌付けられ、第２シール収容凹部１６８に収容される。前記第１シール部材１７１及び第２シール部材１７２は、弾性を備える樹脂等から成る部材であって、例えば、Ｏ−リングであるが、シール性を備える部材であれば、いかなる部材であってもよい。
【００３０】
また、前記可動スリーブ１６６は、図２に示されるように、連結基部１６３の周囲にスライド可能に嵌付けられる。なお、該連結基部１６３の表面には、低い凸部１６３ａが形成されているので、連結基部１６３に嵌付けられた可動スリーブ１６６の前方への変位は、前記凸部１６３ａによって規制される。つまり、可動スリーブ１６６は、フランジ板１６４の前面１６４ｂと凸部１６３ａとの間で、連結基部１６３に対して前後方向にスライド可能である。
【００３１】
前記外部部材９５は、カード用コネクタ１が取付けられた電子機器の筐体の一部であり、カード用コネクタ１から独立した別個の部材であるが、図示されない位置固定部材を介して、前記カード用コネクタ１との相対的位置関係が変化しないように固定されている。前記位置固定部材は、例えば、カード用コネクタ１が実装されている配線基板、カード用コネクタ１が取付けられた電子機器の筐体等であり、前記外部部材９５は、このような位置固定部材に直接又は間接に取付けられることによって、カード用コネクタ１との相対的位置関係が変化しないように固定されている。ここでは、前記外部部材９５が、前記位置固定部材の一部、かつ、電子機器の筐体の一部であるものとして説明する。また、前記外部部材９５の外面は電子機器の筐体の外面として機能する。
【００３２】
前記外部部材９５は、板厚方向に貫通するように形成された挿入開口９５ａを備える。該挿入開口９５ａは、カード用トレイ１６０を挿入可能な形状及び寸法を備え、前記カード用トレイ１６０のフランジ板１６４が嵌入可能となっている。該フランジ板１６４の外形形状及び外形寸法は、前記挿入開口９５ａの形状及び寸法と同様であり、図１に示されるように、前記フランジ板１６４は挿入開口９５ａに嵌入可能となっている。
【００３３】
そして、図１に示されるように、カード用トレイ１６０のカード用コネクタ１への挿入が完了した状態において、可動スリーブ１６６は挿入開口９５ａに挿入され、可動スリーブ１６６の外周面と挿入開口９５ａの内周面との隙間は、第２シール収容凹部１６８に収容された状態の第２シール部材１７２によってシールされ、封止されている。また、フランジ板１６４は、その後面１６４ａが外部部材９５の外面とほぼ面一となり、その前面１６４ｂが可動スリーブ１６６の後面１６６ａに当接乃至近接し、フランジ板１６４の前面１６４ｂと可動スリーブ１６６の後面１６６ａとの隙間及び連結基部１６３の外周面と連結基部挿入孔１６７の内周面との隙間は、第１シール収容凹部１６７ａに収容された状態の第１シール部材１７１によってシールされ、封止されている。これにより、外部部材９５の外面側と内面側との間が確実にシールされ、電子機器の筐体である外部部材９５の外側からの水や埃が、電子機器の筐体の内部並びにカード用トレイ１６０及びカード用コネクタ１の内部に進入することが防止される。
【００３４】
本実施の形態において、カード用コネクタ１は、樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、概略矩形の天板部６２と、該天板部６２の側縁から立設する側板部６３とを備え、ハウジング１１及びカード用コネクタ１に挿入されたカード用トレイ１６０の少なくとも一部の上方を覆うようになっている。前記側板部６３には、複数の掛止開口６３ａが形成され、シェル６１をハウジング１１の上側に取付けると、該ハウジング１１の側壁部１１ｅの外側面に形成された掛止突起１３に前記掛止開口６３ａが掛止され、これにより、シェル６１がハウジング１１に固定される。そして、前記カード用コネクタ１は、概略扁平な直方体形状を備え、前記電子機器に取付けられて、後方（図２（ｂ）における左下方）の挿入口１８から、ハウジング１１にカード用トレイ１６０が挿入される。具体的には、ハウジング１１とシェル６１との間に形成されるカード挿入空間内にカード用トレイ１６０が、その前端から挿入される。
【００３５】
また、前記ハウジング１１は、金属から成る板材に打抜き、折曲げ等の加工を施して一体的に形成された端子としての複数の第１端子５１−１、第２端子５１−２及び第３端子５１−３、並びに、下側シェル１２を含み、前記第１端子５１−１、第２端子５１−２、第３端子５１−３及び下側シェル１２の周囲の少なくとも一部を被覆して一体化するように、インサート成形乃至オーバーモールド成形と称される成形方法によって成形された絶縁性の樹脂から成る樹脂部材を含む概略平板状の部材である。なお、前記下側シェル１２は、ハウジング１１を補強するフレーム部材であって、望ましくは、第１端子５１−１、第２端子５１−２及び／又は第３端子５１−３と同じ部材から形成されるが、前記第１端子５１−１、第２端子５１−２及び第３端子５１−３からは分離されて電気的に絶縁されている。
【００３６】
前記ハウジング１１は、概略矩形の平板状の端子保持部としての底壁部１１ｂと、ハウジング１１におけるカード用トレイ１６０の挿入方向（前後方向）前方の前端部１１ｆに沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記奥壁部１１ａ及び側壁部１１ｅは、その下面が底壁部１１ｂの下面と面一であり、その上面が底壁部１１ｂの上面よりも上方に位置する。なお、ハウジング１１におけるカード用トレイ１６０の挿入方向後方の端部は、後端部１１ｒと称する。
【００３７】
ここで、前記底壁部１１ｂは、第１端子５１−１、第２端子５１−２及び第３端子５１−３の露出部を収容して保持する第１端子保持凹部１１ｃ１、第２端子保持凹部１１ｃ２及び第３端子保持凹部１１ｃ３を備える。該第１端子保持凹部１１ｃ１、第２端子保持凹部１１ｃ２及び第３端子保持凹部１１ｃ３は、底壁部１１ｂを板厚方向に貫通する開口である。
【００３８】
そして、第１端子５１−１及び第３端子５１−３は、ハウジング１１の前後方向に延在する列を成すように、並んで配設されている。図に示される例では、３つずつ、２列に並ぶように配設されている。前記第１端子５１−１及び第３端子５１−３の各々は、少なくとも一部が底壁部１１ｂに埋込まれ、また、少なくとも接触部５１ｃ１及び５１ｃ３が第１端子保持凹部１１ｃ１及び第３端子保持凹部１１ｃ３内に露出し、はんだ付部としてのソルダーテール部５１ｄ１及び５１ｄ３が底壁部１１ｂの下面に露出する。前記接触部５１ｃ１及び５１ｃ３は、第１端子５１−１及び第３端子５１−３の腕部が備えるばね性によって上方に向けて付勢され、カード用コネクタ１内に保持されたカード用トレイ１６０のカード収容部１６１の第１空間及び第２空間に収容されたナノＳＩＭカードの下面に露出する端子部材としての電極パッドの各々に接触する。また、前記ソルダーテール部５１ｄ１及び５１ｄ３は、図示されない基板に形成された信号線、コンタクトパッド、端子等に、はんだ付等によって電気的に接続される。
【００３９】
また、第２端子５１−２は、ハウジング１１の幅方向に延在する１本の列を成すように、並んで配設されている。前記第２端子５１−２は、少なくとも一部が底壁部１１ｂに埋込まれ、また、少なくとも接触部５１ｃ２が第２端子保持凹部１１ｃ２内に露出し、はんだ付部としてのソルダーテール部５１ｄ２が底壁部１１ｂの下面に露出する。前記接触部５１ｃ２は、第２端子５１−２の腕部が備えるばね性によって上方に向けて付勢され、カード用コネクタ１内に保持されたカード用トレイ１６０のカード収容部１６１の第２空間に収容されたマイクロＳＤ（Ｒ）カードの下面に露出する端子部材としての電極パッドの各々に接触する。また、前記ソルダーテール部５１ｄ２は、前記基板に形成された信号線、コンタクトパッド、端子等に、はんだ付等によって電気的に接続される。
【００４０】
なお、前記第１端子５１−１、第２端子５１−２及び第３端子５１−３の数及び配置の形態は、カードの電極パッドの数及び配置の形態に適合するように、適宜変更される。また、第１端子５１−１、第２端子５１−２及び第３端子５１−３、第１端子保持凹部１１ｃ１、第２端子保持凹部１１ｃ２及び第３端子保持凹部１１ｃ３、接触部５１ｃ１、５１ｃ２及び５１ｃ３、並びに、ソルダーテール部５１ｄ１、５１ｄ２及び５１ｄ３を、それぞれ、統合的に説明する場合には、端子５１、端子保持凹部１１ｃ、接触部５１ｃ及びソルダーテール部５１ｄとして説明する。
【００４１】
前記底壁部１１ｂと左右の側壁部１１ｅとの間には、下側シェル１２が露出している。そして、各側壁部１１ｅの内側には、カード用トレイ１６０を保持して固定するための保持用ばね部材７５が配設されている。該保持用ばね部材７５は、前後方向に延在する細長い板状のばね部材であって、その中央部付近にハウジング１１の幅方向内側に向って突出する保持用凸部７５ａが形成されている。該保持用凸部７５ａは、枠部１６１ａの保持用凹部１６１ｃと係合し、これにより、カード用コネクタ１内に挿入されたカード用トレイ１６０の枠部１６１ａを保持して固定する。
【００４２】
また、前記側壁部１１ｅの一方の内側には、カード用コネクタ１内に挿入されたカード用トレイ１６０を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。
【００４３】
前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６０のカード収容部１６１の前端１６１ｆに当接して、カード用トレイ１６０に排出方向の力を付与する作用点部２１ａとして機能する。
【００４４】
また、ハウジング１１には、カード用コネクタ１に挿入されたカード用トレイ１６０が、カード用コネクタ１内の所定位置（カード収容部１６１が保持用ばね部材７５によって保持されるとともに、カード収容部１６１にカードが収容されている場合にカードの電極パッドが対応する端子５１の接触部５１ｃと接触する位置）に到達したことを検出する検出スイッチの可動部材２７及び固定部材２８が配設されている。カード用トレイ１６０のカード収容部１６１が所定位置に到達していない場合には、可動部材２７と固定部材２８とが接触しているので、検出スイッチは導通状態、すなわち、オン（ＯＮ）になっている。しかし、カード収容部１６１が前記所定位置に到達すると、可動部材２７がカード収容部１６１の前端１６１ｆに当接して押され、これにより、可動部材２７が変位して固定部材２８から離間する。したがって、検出スイッチが非導通状態、すなわち、オフ（ＯＦＦ）になるので、カード収容部１６１が所定位置に到達したことが検出される。なお、検出スイッチが必要ないときは、配設しなくてもよい。
【００４５】
なお、図６（ａ）には、カード用トレイ１６０がカード用コネクタ１内の所定位置にある場合のイジェクトレバー２１及びプッシュロッド２２の状態が示されており、図６（ｂ）には、カード用トレイ１６０がカード用コネクタ１内から排出された場合のイジェクトレバー２１及びプッシュロッド２２の状態が示されている。
【００４６】
次に、前記構成のカード用コネクタ１からカード用トレイ１６０を排出する動作について説明する。
【００４７】
図７は第１の実施の形態におけるカード用コネクタからカード用トレイを排出する動作の第１工程を示す図、図８は第１の実施の形態におけるカード用コネクタからカード用トレイを排出する動作の第２工程を示す図、図９は第１の実施の形態におけるカード用コネクタからカード用トレイを排出する動作の第３工程を示す図、図１０は第１の実施の形態におけるカード用コネクタからカード用トレイを排出する動作の第４工程を示す図である。なお、図７〜１０において、（ａ）は平面図、（ｂ）は（ａ）におけるＡ−Ａ矢視断面図である。
【００４８】
ここで、カード用トレイ１６０は、図１に示されるように、カード用コネクタ１への挿入が完了して枠部１６１ａがカード用コネクタ１内の所定位置にあるものとする。なお、図示の都合上、カード用トレイ１６０にはカードが収容されていないものとする。
【００４９】
前記カード用トレイ１６０のカード用コネクタ１への挿入が完了した状態では、ハウジング１１が備える保持用ばね部材７５の保持用凸部７５ａが、枠部１６１ａの保持用凹部１６１ｃと係合している。これにより、枠部１６１ａは、所定位置に安定的に保持される。また、イジェクトレバー２１及びプッシュロッド２２は、図６（ａ）に示されるような状態にあり、プッシュロッド２２の操作部２２ａは、ハウジング１１の後端部１１ｒよりも後方に位置している。さらに、図１に示されるように、可動スリーブ１６６の操作用部１６６ｂは前方に向けて突出し、その前端が操作部２２ａに当接乃至近接している。さらに、可動スリーブ１６６の操作用凹部１６６ｃの位置とフランジ板１６４の操作用挿入孔１６４ｃの位置とは整合している。
【００５０】
そして、カード用コネクタ１からカード用トレイ１６０を排出する場合、ユーザは、手指等によって、操作補助部材１８１を把持し、該操作補助部材１８１の姿勢及び位置を、操作補助部材１８１の先端が前方を向いてフランジ板１６４の操作用挿入孔１６４ｃの真後ろに位置するようにする。
【００５１】
続いて、図７に示されるように、ユーザは、操作補助部材１８１を前進させ、その先端を操作用挿入孔１６４ｃを通して、可動スリーブ１６６の操作用凹部１６６ｃ内に到達させる。該操作用凹部１６６ｃは奥が閉じた凹部である。そして、ユーザが操作補助部材１８１を更に前進させると、可動スリーブ１６６が連結基部１６３及び外部部材９５に対してスライドして前進し、その操作用部１６６ｂが操作部２２ａを前進させる。
【００５２】
続いて、ユーザが操作補助部材１８１をプッシュして更に前進させると、可動スリーブ１６６とともに、プッシュロッド２２がその最も前進可能な位置に到達するので、イジェクトレバー２１の作用点部２１ａは、図６（ｂ）に示されるような位置にまで変位する。これにより、イジェクトレバー２１の作用点部２１ａに前端１６１ｆが押されて、カード用トレイ１６０のカード収容部１６１は、所定位置から後方に向けて変位し、図８に示されるように、カード用コネクタ１から押出される。
【００５３】
この際、カード収容部１６１の枠部１６１ａに形成された保持用凹部１６１ｃと保持用ばね部材７５の保持用凸部７５ａとの係合が解除されるので、操作補助部材１８１及び操作用部１６６ｂは、カード収容部１６１、イジェクトレバー２１及びプッシュロッド２２を介して、弾性的に変形させられる保持用ばね部材７５が発揮するばね力を主因とする抵抗を受けるが、該抵抗がユーザの手指等が発揮する押圧力よりも小さいので、前記抵抗に抗して前方に移動する。
【００５４】
トレイ排出機構の動作によってカード収容部１６１がカード用コネクタ１から押出されると、図８に示されるように、カード収容部１６１の後端に接続された連結基部１６３が可動スリーブ１６６に対してスライドして後退し、連結基部１６３の後端に接続されたフランジ板１６４が、外部部材９５の外面の後方に突出する。この場合、前記フランジ板１６４の外部部材９５の外面の後方への突出量は、ユーザが手指等によってフランジ板１６４を把持し得る程度に大きなものである。
【００５５】
そこで、ユーザは、手指等によってフランジ板１６４を把持して後方に引出すと、連結基部１６３の表面に形成された凸部１６３ａが可動スリーブ１６６に係合するので、図９に示されるように、可動スリーブ１６６も連結基部１６３とともに後方に移動し、外部部材９５の外面の後方に引出される。
【００５６】
最終的に、ユーザは、図１０に示されるように、カード用トレイ１６０全体をカード用コネクタ１から引出し、さらに、電子機器の筐体の一部である外部部材９５の外側にまで引出すことができる。
【００５７】
次に、前記カード用コネクタ１にカード用トレイ１６０を挿入する動作について説明する。
【００５８】
図１１は第１の実施の形態におけるカード用コネクタにカード用トレイを挿入する動作の第１工程を示す図、図１２は第１の実施の形態におけるカード用コネクタにカード用トレイを挿入する動作の第２工程を示す図である。なお、図１１及び１２において、（ａ）は平面図、（ｂ）は（ａ）におけるＡ−Ａ矢視断面図である。
【００５９】
まず、ユーザは、手指等によってカード用トレイ１６０を把持し、図１０に示されるように、該カード用トレイ１６０を外部部材９５の挿入開口９５ａの後方に位置させた後、カード用トレイ１６０を前記挿入開口９５ａに相対的に接近させ、該挿入開口９５ａを通して、カード用コネクタ１の挿入口１８からハウジング１１とシェル６１との間に形成されるカード挿入空間内に挿入する。なお、図示の都合上、カード用トレイ１６０にはカードが収容されていないものとする。
【００６０】
続いて、カード用トレイ１６０を更に前進させると、図１１に示されるように、可動スリーブ１６６の周囲に嵌付けられた第２シール部材１７２が前記挿入開口９５ａの内周面に当接して引掛かるので、可動スリーブ１６６は前進を停止する。一方、ユーザが手指等によってフランジ板１６４を前進させると、連結基部１６３が可動スリーブ１６６に対してスライドして前進するので、連結基部１６３の前端に接続されたカード収容部１６１は、カード用コネクタ１のカード挿入空間内を前進する。
【００６１】
そして、ユーザが手指等によってフランジ板１６４を更に前進させると、図１２に示されるように、連結基部１６３の周囲に嵌付けられた第１シール部材１７１は、可動スリーブ１６６の第１シール収容凹部１６７ａに収容された状態となり、フランジ板１６４と第１シール収容凹部１６７ａとによって押圧される。これにより、ユーザが手指等によってフランジ板１６４に加えた力が、第１シール部材１７１を介して、又は、フランジ板１６４の前面１６４ｂが可動スリーブ１６６の後面１６６ａに当接している場合には直接可動スリーブ１６６に伝達される。
【００６２】
続いて、ユーザがフランジ板１６４をプッシュして更に押込むと、図１に示されるように、カード用トレイ１６０がカード用コネクタ１の所定位置に到達し、カード用トレイ１６０のカード用コネクタ１への挿入が完了する。
【００６３】
このように、本実施の形態において、カード用トレイ１６０は、カード用コネクタ１に外部部材９５の挿入開口９５ａを通して挿入可能、かつ、電極パッドを備えるカードを保持可能である。そして、カード用トレイ１６０は、カードを収容可能なカード収容部１６１と、カード収容部１６１に接続された連結基部１６３と、連結基部１６３にカード用トレイ１６０の挿入及び排出方向にスライド可能に取付けられた可動スリーブ１６６と、連結基部１６３と可動スリーブ１６６との間をシールする第１シール部材１７１と、挿入開口９５ａと可動スリーブ１６６との間をシールする第２シール部材１７２とを備える。
【００６４】
これにより、カード用コネクタ１と外部部材９５の挿入開口９５ａとの不整列に起因して、各部に位置ずれが生じている場合であっても、連結基部１６３と可動スリーブ１６６との間の変位が第１シール部材１７１によって吸収され、挿入開口９５ａと可動スリーブ１６６との間の変位が第２シール部材１７２によって吸収されるので、連結基部１６３に接続されたカード収容部１６１をスムーズにカード用コネクタ１に挿入し、かつ、排出することができる。特に、連結基部１６３と可動スリーブ１６６との間に第１シール部材１７１が介在し、その外側の可動スリーブ１６６と挿入開口９５ａとの間に第２シール部材１７２が介在している。したがって、カード用コネクタ１に挿入されるカード用トレイ１６０の連結基部１６３と外部部材９５の挿入開口９５ａとの間に二重にシール部材が介在することとなるので、カード用コネクタ１と外部部材９５との間の位置ずれが大きく、その結果、連結基部１６３と挿入開口９５ａとの間の位置ずれが大きくなっても、二重のシール部材によって大きな位置ずれが吸収される。さらに、二重のシール部材によって、外部から水、埃等の異物が外部部材９５の内部、カード収容部１６１、カード用コネクタ１等に進入することを確実に防止することができる。したがって、高い信頼性を得ることができる。
【００６５】
また、可動スリーブ１６６は、連結基部１６３がスライド可能に挿入される連結基部挿入孔１６７を含み、第１シール部材１７１は、連結基部１６３の外周面と連結基部挿入孔１６７の内周面との間をシールし、第２シール部材１７２は、可動スリーブ１６６の外周面と外部部材９５の挿入開口９５ａの内周面との間をシールする。したがって、外部からの異物が連結基部１６３の外周面と連結基部挿入孔１６７の内周面との間を通過して外部部材９５の内部に進入することが防止され、また、可動スリーブ１６６の外周面と外部部材９５の挿入開口９５ａの内周面との間を通過してカード収容部１６１、カード用コネクタ１等に進入することも防止される。
【００６６】
さらに、カード用トレイ１６０は連結基部１６３の後端に接続されたフランジ板１６４を更に備え、カード用コネクタ１へのカード用トレイ１６０の挿入が完了すると、フランジ板１６４の後面１６４ａが外部部材９５の外面とほぼ面一となる。したがって、カード用コネクタ１が実装されている電子機器の美観が向上する。また、ユーザの手指等がフランジ板１６４の後面１６４ａと外部部材９５の外面との段差に引掛かることがないので、安全性が向上する。
【００６７】
さらに、フランジ板１６４は、操作補助部材１８１を挿入可能な操作用挿入孔１６４ｃを含み、可動スリーブ１６６は、操作補助部材１８１からの力を受けることによって、カード用トレイ１６０の挿入方向へスライドする。したがって、フランジ板１６４の後面１６４ａが外部部材９５の外面とほぼ面一になっていても、可動スリーブ１６６を容易にスライドさせることができる。なお、図に示される例において、操作用挿入孔１６４ｃは、フランジ板１６４の左右いずれか一端近傍に形成されているが、フランジ板１６４の任意の箇所に形成することができる。
【００６８】
さらに、可動スリーブ１６６は、操作補助部材１８１からの力を受けることによって、カード用コネクタ１のトレイ排出機構を作動させる。したがって、可動スリーブ１６６に操作補助部材１８１が通過するような貫通孔を形成する必要がないので、外部からの異物が進入することを確実に防止することができる。なお、図に示される例において、トレイ排出機構の一部であるプッシュロッド２２の操作部２２ａに当接する可動スリーブ１６６の操作用部１６６ｂは、可動スリーブ１６６の左右いずれか一端近傍に形成されているが、可動スリーブ１６６がトレイ排出機構を作動させる部分は、これに限定されるものでなく、トレイ排出機構の構成に応じて、フランジ板１６４のいかなる箇所にも形成することができる。
【００６９】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７０】
図１３は第２の実施の形態におけるカード用コネクタにカード用トレイを挿入する前の状態のカード用コネクタセットを示す斜視図、図１４は第２の実施の形態におけるカード用トレイを示す第１の分解図、図１５は第２の実施の形態におけるカード用トレイを示す第２の分解図、図１６は第２の実施の形態におけるカード用コネクタからカード用トレイを排出する動作の第１工程を示す図、図１７は第２の実施の形態におけるカード用コネクタからカード用トレイを排出する動作の第２工程を示す図である。なお、図１６及び１７において、（ａ）は平面図、（ｂ）は透視平面図、（ｃ）はシェル及び外部部材を除去した状態を示す平面図、（ｄ）は平断面図である。
【００７１】
本実施の形態におけるカード用コネクタ１のトレイ排出機構は、トレイ排出操作部材としてのプッシュロッド２２を備えておらず、トレイ排出梃子部材としてのイジェクトレバー２１のみを備えている。また、該イジェクトレバー２１は、ハウジング１１に取付けられてはおらず、支点部２１ｃにおいて枢動可能にシェル６１の天板部６２に取付けられている。なお、本実施の形態において、ハウジング１１の図示は、説明の都合上、省略されている。
【００７２】
また、本実施の形態におけるカード用トレイ１６０の連結基部１６３は、左右に分かれており、カード収容部１６１の後端に二股に分岐して接続された状態になっている。それに伴って、可動スリーブ１６６には、左右に分かれた一対の連結基部挿入孔１６７が形成され、連結基部１６３の周囲に嵌付けられる第１シール部材１７１も２つ用意されている。また、フランジ板１６４は連結基部１６３と別個に形成されているが、フランジ板１６４の前面１６４ｂには一対の嵌合用凸部１６４ｄが形成されている。そして、左右の連結基部１６３の後端部１６３ｄが前記嵌合用凸部１６４ｄに嵌入されて固定されることによって、フランジ板１６４が連結基部１６３に接続される。
【００７３】
さらに、本実施の形態における操作用挿入孔１６４ｃは、フランジ板１６４の中央近傍であって、左右の嵌合用凸部１６４ｄ同士の間に形成されている。したがって、前記操作用挿入孔１６４ｃに挿入された操作補助部材１８１の先端は、可動スリーブ１６６の後面１６６ａにおける左右の連結基部挿入孔１６７同士の間に当接する。また、可動スリーブ１６６の前面は操作用部１６６ｂとして機能する。
【００７４】
なお、前述のように、本実施の形態におけるカード用コネクタ１のトレイ排出機構がプッシュロッド２２を備えていないので、可動スリーブ１６６の操作用部１６６ｂは、イジェクトレバー２１の力点部２１ｂに当接する。また、イジェクトレバー２１の作用点部２１ａは、カード用コネクタ１内に挿入されたカード用トレイ１６０のカード収容部１６１の前端１６１ｆではなく、連結基部１６３の前端１６３ｆに当接する。
【００７５】
したがって、本実施の形態において、カード用コネクタ１からカード用トレイ１６０を排出する場合、図１６に示されるように、操作補助部材１８１の先端は、フランジ板１６４の中央近傍に形成された操作用挿入孔１６４ｃから挿入されて前進させられる。
【００７６】
そして、操作補助部材１８１が更に前進させられると、図１７に示されるように、可動スリーブ１６６が連結基部１６３及び外部部材９５に対してスライドして前進し、その操作用部１６６ｂがイジェクトレバー２１の力点部２１ｂを前進させる。すると、イジェクトレバー２１の作用点部２１ａに連結基部１６３の前端１６３ｆが押され、連結基部１６３の後端に接続されたフランジ板１６４が、外部部材９５の外面の後方に突出する。
【００７７】
なお、本実施の形態におけるカード用コネクタ１及びカード用トレイ１６０のその他の点の構成は、前記第１の実施の形態と同様であるので、その説明を省略する。また、本実施の形態におけるカード用コネクタ１からカード用トレイ１６０を排出する動作及びカード用コネクタ１にカード用トレイ１６０を挿入する動作も、前記第１の実施の形態と同様であるので、その説明を省略する。
【００７８】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００７９】
本開示は、カード保持部材及びカード用コネクタセットに適用することができる。
【符号の説明】
【００８０】
１    カード用コネクタ
１１、８１１    ハウジング
１１ａ    奥壁部
１１ｂ    底壁部
１１ｃ１    第１端子保持凹部
１１ｃ２    第２端子保持凹部
１１ｃ３    第３端子保持凹部
１１ｅ、８９８    側壁部
１１ｆ    前端部
１１ｒ、１６３ｄ    後端部
１２    下側シェル
１３    掛止突起
１８    挿入口
２１    イジェクトレバー
２１ａ    作用点部
２１ｂ    力点部
２１ｃ    支点部
２２    プッシュロッド
２２ａ    操作部
２２ｂ    係合部
２７    可動部材
２８    固定部材
５１−１    第１端子
５１−２    第２端子
５１−３    第３端子
５１ｃ１、５１ｃ２、５１ｃ３    接触部
５１ｄ１、５１ｄ２、５１ｄ３    ソルダーテール部
６１    シェル
６２    天板部
６３    側板部
６３ａ    掛止開口
７５    保持用ばね部材
７５ａ    保持用凸部
９５    外部部材
９５ａ    挿入開口
１６０    カード用トレイ
１６１    カード収容部
１６１ａ    枠部
１６１ｂ    背板部
１６１ｃ    保持用凹部
１６１ｆ、１６３ｆ    前端
１６３    連結基部
１６３ａ    凸部
１６４    フランジ板
１６４ａ、１６６ａ    後面
１６４ｂ    前面
１６４ｃ    操作用挿入孔
１６４ｄ    嵌合用凸部
１６６    可動スリーブ
１６６ｂ    操作用部
１６６ｃ    操作用凹部
１６７    連結基部挿入孔
１６７ａ    第１シール収容凹部
１６８    第２シール収容凹部
１７１    第１シール部材
１７２    第２シール部材
１８１    操作補助部材
８５１    端子
８９８ａ    開口部
８９８ｂ    外表面
９６１    カードホルダ
９６１ａ    後枠部
９６１ｂ    後端面
９７１    パッキン
【図１】
0006613130.tif 000002
【図２】
0006613130.tif 000003
【図３】
0006613130.tif 000004
【図４】
0006613130.tif 000005
【図５】
0006613130.tif 000006
【図６】
0006613130.tif 000007
【図７】
0006613130.tif 000008
【図８】
0006613130.tif 000009
【図９】
0006613130.tif 000010
【図１０】
0006613130.tif 000011
【図１１】
0006613130.tif 000012
【図１２】
0006613130.tif 000013
【図１３】
0006613130.tif 000014
【図１４】
0006613130.tif 000015
【図１５】
0006613130.tif 000016
【図１６】
0006613130.tif 000017
【図１７】
0006613130.tif 000018
【図１８】
0006613130.tif 000019